(57)【特許請求の範囲】
【請求項１】
磁気記録媒体に記録された固定情報を、磁気ヘッドにより再生する方法であって、
前記磁気記録媒体は、非磁性体からなるベース上に、保磁力が２５０〜４０００エルステッドの第１磁性粉からなる第１磁性層と、保磁力が１００エルステッド以下の第２磁性粉からなる第２磁性層とが少なくとも形成され、前記第２磁性層の一面に、前記第２磁性粉が密集してなる２つの頂部を有する凸部が、磁気記録の読み取り方向に沿って複数形成されてなり、
前記固定情報は、前記第２磁性層に形成された前記の複数の凸部から構成され、
前記磁気ヘッドを、前記第２磁性層の前記の磁気記録の読み取り方向に沿って走査することにより、前記固定情報を再生して再生信号を取得し、
前記再生信号は、前記の複数の凸部から得られる複数の信号波形の連続として構成され、該複数の信号波形は、尖頭部に２つのピークを有するダブルピーク波形と、尖頭部に１つのピークを有するシングルピーク波形の集合であることを特徴とする磁気記録媒体の固定情報の再生方法。
【請求項２】
前記シングルピーク波形は、２つの前記ダブルピーク波形が近接して互いに干渉し、前記ダブルピーク波形の尖頭部の２つのピークが１つのピークになることにより得られたものであることを特徴とする請求項１記載の磁気記録媒体の固定情報の再生方法。
【請求項３】
前記磁気ヘッドのギャップ幅をＧとし、前記磁気記録媒体の前記凸部の前記頂部の幅をＰとしたとき、Ｐ＞Ｇとなるように構成されたことを特徴とする請求項１記載の磁気記録媒体の固定情報の再生方法。
【発明の詳細な説明】
【０００１】
【発明の属する技術分野】
本発明は、買い物カード、預貯金カード、定期券、乗車券、回数券、プリペイドカード、キャッシュカード、クレジットカード、身分証明書、診察券などの磁気カード、磁気シート、磁気ロール紙などに使用する磁気記録媒体の固定情報の再生方法に関するものである。
【０００２】
【従来の技術】
近年、磁気記録カード、あるいは、磁気ロール紙などの磁気記録媒体の利用分野はますます広くなってきている。
この種の磁気記録媒体の基本構造は、非磁性体からなるベース（基体）上に磁性体とバインダーとから成る磁気層を形成し、これを磁化することにより記録を行うものである。このような磁気記録媒体は、記録・消去を繰り返し施すことができるものであるため、広く記録媒体として用いられている。しかし、このような磁気記録媒体は、磁気情報の複製や改ざんによる不正使用も可能であるので、これを防止することが求められている。
【０００３】
従来、このような背景において、磁気記録媒体の偽造防止方法として広く用いられているものは、磁気記録情報の記録・再生を困難にする方法と、磁気記録媒体そのものに真偽判定情報を付与する方法とに大別される。
前者は記録された正規の情報を隠蔽し、情報の書き込みと読みとりを困難にすることにより、通常の磁気記録装置での複製や改ざんを困難にする方式であり、後者は磁気カードが正規のものか否かを判定するための識別情報を磁気カードそのものに入れておくことにより偽造、変造を防ぐ方式である。
【０００４】
更に詳細を述べるならば、前者の磁気記録情報の記録、再生を困難にすることによる不正使用防止策として知られているものに、磁気記録層を多層化することにより、正規の情報を隠蔽して通常の磁気記録再生装置では読みとり不能にする技術が知られている。即ち、ダミー情報を正規の情報に重量して記録するならば、通常の磁気記録再生装置での読みとり時には正規情報とダミー情報が重なって読み出されるために、正規情報を解析することは困難になる。
しかし、このような方式では、複雑な磁気記録再生装置が必要であるという欠点がある。また、一旦正規情報の読みとり方法の詳細が判明してしまえば、磁気記録に詳しいものであれば、情報を読み出し、解析することが可能となってしまうため、磁気記録媒体の大量複製を防ぐには不十分であった。
【０００５】
一方、後者の磁気記録媒体は、磁気カードそのものに真偽判定情報を施すものである。この方式では、磁気記録媒体が正規のものかどうかを判定する固定情報を媒体自身が持っているために、大量の複製を防ぐことが可能となる。しかしながらこの方式では、正規の媒体の固定情報を書き換えるなどの変造には対応することができないという問題を有するものであった。
【０００６】
【発明が解決しようとする課題】
後者の磁気記録媒体の例として、本発明者らは、特願平４−１７５９３０号において、磁性層に複数の凸部を設けた磁気記録媒体及びその製造方法について特許出願している。
この特願平４−１７５９３０号によれば、ベースに２５０〜４０００エルステッドの保磁力の磁性体からなる第１磁性層と１００エルステッド以下の保磁力の磁性体からなる第２磁性層とを積層し、第１磁性層に形成した記録パターンを第２磁性層に転写させて、第２磁性層に複数の凸部が形成されてなる磁気記録媒体を用いて、前記の複数の凸部を磁気記録媒体の真偽判定の固定情報として利用することにより、磁気記録媒体が正規なものか否かを判定している。
【０００７】
本発明者らは、特願平４−１７５９３０号における第２磁性層に形成された複数の凸部について、その形状、大きさ等を詳細に解析した結果、偽造防止性能をより高くした磁気記録媒体が得られることを発見し、本願発明に到達したのである。
【０００８】
本発明は前記事情に鑑みて成されたもので、追加も消去も不可能な偽造防止情報を容易に付与することができ、磁気情報の複製や改ざんによる不正使用を防止することが可能な磁気記録媒体の固定情報の再生方法の提供を目的とする。
【０００９】
【課題を解決するための手段】
前記の課題を解決するため、本発明は、以下の構成を採用した。
本発明に好適に用いられる磁気記録媒体は、非磁性体からなるベースに、保磁力が２５０〜４０００エルステッドの第１磁性粉からなる第１磁性層と、保磁力が１００エルステッド以下の第２磁性粉からなる第２磁性層とが少なくとも形成され、前記第２磁性層の一面に、前記第２磁性粉が密集してなる２つの頂部を有する凸部が、磁気記録の読み取り方向に沿って複数形成されてなるものである。
【００１０】
また、本発明に好適に用いられる磁気記録媒体は、非磁性体からなるベース上に、保磁力が２５０〜４０００エルステッドの第１磁性粉からなる第１磁性層と、保磁力が１００エルステッド以下の第２磁性粉からなる第２磁性層とが少なくとも形成され、前記第２磁性層の一面に、前記第２磁性粉が密集してなる２つの頂部を有する凸部が、磁気記録の読み取り方向に沿って複数形成されることにより、前記第２磁性層に固定情報が記録されており、該固定情報の再生信号が、前記の複数の凸部における複数の信号波形の連続として構成され、該複数の信号波形は、尖頭部に２つのピークを有するダブルピーク波形と、尖頭部に１つのピークを有するシングルピーク波形との集合であることを特徴とするものである。
また、前記シングルピーク波形は、２つの前記ダブルピーク波形が近接して互いに干渉し、前記ダブルピーク波形の尖頭部の２つのピークが１つのピークになることにより得られたものである。
また、前記固定情報の前記再生信号を読み取る磁気ヘッドのギャップ幅をＧとしたときに、前記磁気記録媒体の前記凸部の前記頂部の幅（Ｐ）が、Ｐ＞Ｇの関係となるよう構成されたことが好ましい。
【００１１】
そして、請求項１記載の磁気記録媒体の固定情報の記録再生方法は、磁気記録媒体に記録された固定情報を、磁気ヘッドにより再生する方法であって、前記磁気記録媒体は、非磁性体からなるベース上に、保磁力が２５０〜４０００エルステッドの第１磁性粉からなる第１磁性層と、保磁力が１００エルステッド以下の第２磁性粉からなる第２磁性層とが少なくとも形成され、前記第２磁性層の一面に、前記第２磁性粉が密集してなる２つの頂部を有する凸部が、磁気記録の読み取り方向に沿って複数形成されてなり、前記固定情報は、前記第２磁性層に形成された前記の複数の凸部から構成され、前記磁気ヘッドを、前記第２磁性層の前記の磁気記録の読み取り方向に沿って走査することにより、前記固定情報を再生して再生信号を取得し、前記再生信号は、前記の複数の凸部から得られる複数の信号波形の連続として構成され、該複数の信号波形は、尖頭部に２つのピークを有するダブルピーク波形と、尖頭部に１つのピークを有するシングルピーク波形の集合であることを特徴とする。
【００１２】
また、前記シングルピーク波形は、２つの前記ダブルピーク波形が近接して互いに干渉し、前記ダブルピーク波形の尖頭部の２つのピークが１つのピークになることにより得られたものである。
また、前記磁気ヘッドのギャップ幅をＧとし、前記磁気記録媒体の前記凸部の前記頂部の幅をＰとしたとき、Ｐ＞Ｇとなるように構成されたことが好ましい。
【００１３】
【発明の実施の形態】
本発明の実施の形態を図面を参照して説明する。
図１（ａ）は、本発明の実施形態である磁気記録媒体１０の平面図である。この磁気記録媒体１０は、カード型の非磁性体からなるベース１と、ベース１上にベース１の長手方向に沿って形成された磁気ストライプＴとから概略構成されている。
図１（ｂ）は図１（ａ）の磁気ストライプＴのＸ−Ｘ線における断面図であり、磁気ストライプＴは、ベース１上に形成された第１磁性層２と、第１磁性層２を覆う第２磁性層３とが積層されてなるものである。また、第２磁性層３上には図示しない被覆層が積層されている。
第１磁性層２は、保磁力が２５０〜４０００エルステッドの第１磁性粉をバインダーにより分散固定してなるものであり、第２磁性層３は、保磁力が１００エルステッド以下の第２磁性粉をバインダーにより分散固定してなるものである。
【００１４】
ここで用いられるベース１は、厚さ１５０μｍ〜１ｍｍ程度のポリエステルフィルム、塩化ビニルフィルム、合成紙、木材パルプ紙、ラミネート紙等のシート状の非磁性体を適用できるが、目的とする用途に合わせて適当なものを用いれば良い。よって、前記の材料、あるいは、一般に知られる磁気記録媒体のベース用材料からなるシートやフィルムあるいはこれらの積層体を用いても良い。
【００１５】
また、保磁力が２５０〜４０００エルステッドである第１磁性粉を構成する磁性体には、γ-酸化鉄、コバルトドープのγ-酸化鉄、酸化クロム、バリウムフェライト、ストロンチウムフェライト等を適用することができ、保磁力が１００エルステッド以下である第２磁性粉を構成する磁性体には、カルボニル鉄、マンガンジンクフェライト、ジンクフェライト、ニッケル、四三酸化鉄、パーマロイ、センダスト、アルパーム等を適用できる。
【００１６】
第１磁性層２及び第２磁性層３において、第１、第２磁性粉を分散固定させるバインダーは、塩化ビニル、酢酸ビニル共重合体、酢酸ビニル、ビニルアルコール共重合体、ポリウレタン樹脂、ポリエステル樹脂、エポキシ樹脂、ポリイソシアネート樹脂等の結着剤に、顔料等の添加剤を微量加えてなるものを用いることができるが、これらの他に磁性粉用のバインダーとして公知のものを適宜用いても良い。尚、前記の添加剤として、シリカ、アルミナ等の無機顔料や、ワックス、シリコンオイル等を用いても良い。
更に、第２磁性層３上に積層する被覆層は、（ａ）第２磁性層３の着色を隠蔽するためのアルミニウム粉末，白色顔料等を含んだ着色層、（ｂ）ロイコ染料型感熱記録層，錫，アルミニウム等の金属蒸着層からなる放電記録層等の印字記録層、（ｃ）紫外線硬化型樹脂からなる保護層のうちの１層もしくは複数層を積層したものを適用できる。
【００１７】
図１（ｂ）において、第２磁性層３の上面（一面）４には、第２磁性層３の上方に向けて突出する２つの頂部５、５を有する凸部６…が、磁気ストライプＴの長手方向（磁気記録の読み取り方向）に沿って複数形成されている。２つの頂部５、５は、第２磁性層３の幅方向に沿って帯状に並列して突出している。
これら凸部６…は、第２磁性層３に含まれている第２磁性粉が盛り上がるように密集して形成されたものであり、第２磁性層３において、凸部６…の部分及びその近傍部分に第２磁性粉が密に集合している。従って第２磁性層３には、複数の凸部６…による第２磁性粉の濃淡が形成されて、固定情報が構成されている。
【００１８】
頂部５、５及び凸部６の大きさについては、図７（ａ）に示すように、ピーク５の幅（Ｐ）が、１０μｍ≧Ｐ≧５０μｍの範囲となり、凸部６の幅（Ｑ）が、２０μｍ≧Ｑ≧１００μｍの範囲となり、ピーク５の高さ（Ｈ）が、０．５μｍ≧Ｈ≧５μｍの範囲となる。
また、第１磁性層２の厚さは、１μｍ以上１０μｍ以下であることが好ましく、２μｍ以上５μｍ以下であることがより好ましい。
更に、第２磁性層３の厚さは、１μｍ以上１０μｍ以下であることが好ましく、２μｍ以上５μｍ以下であることがより好ましい。尚、ここでの第２磁性層３の厚さには、頂部５の高さ（Ｈ）は含まれない。
【００１９】
次に、この磁気記録媒体１０の製造方法を説明する。磁気記録媒体１０は、図２に示す第１磁性層形成装置３０と、図３に示す第２磁性層形成装置３１により製造する。
【００２０】
最初に、第１磁性層形成装置３０を用いて、ベース１に第１磁性層２を形成する方法を説明する。
図２に示す第１磁性層形成装置３０は、長尺のベース１が巻回されてなる送出リール１１と、第１磁性層の塗布装置１２と、磁場配向装置１５と、乾燥パート１６と、巻取リール１８とが直列に連設されて概略構成されており、送出リール１１から送り出されるベース１が、第１磁性層の塗布装置１２、磁場配向装置１５及び乾燥パート１６を通過するようになっている。
【００２１】
まず、非磁性体からなるベース１を、送出リール１１により送出して第１磁性層の塗布装置１２に導き、ベース１に第１磁性層２用の磁気塗料を塗布する。
塗布装置１２には、前記第１磁性粉と前記バインダーと溶剤とからなる磁気塗料１２ａが蓄えられており、この磁気塗料１２ａに接する塗工ヘッド１３により、ベース１に磁気塗料１２ａを塗布する。
磁気塗料１２ａが塗布されたベース１は、ロール１４を経て磁場配向装置１５に送り出される。磁場配向装置１５は、磁気塗料１２ａ中の第１磁性粉を配向させるためのものであり、磁気塗料１２ａが未乾燥の状態で配向用磁石を用いて第１磁性粉を配向させる。
更に、ベース１を乾燥パート１６に送り、磁気塗料１２ａ中の溶剤を揮発させて乾燥させる。このようにして第１磁性層２が形成される。
更に、ベース１は、ロール１７を経て巻取リール１８に巻き取られる。巻き取られたベース１は第１磁性層２のみが塗布された原反２７である。
なお第１の磁性層２は磁場配向装置１５により磁場配向させることが好ましいが、省略しても良い。
【００２２】
次に、第２磁性層形成装置３１を用いて、原反２７の第１磁性層２上に第２磁性層３を形成することにより、磁気記録媒体１０を製造する方法を説明する。
図３に示す第２磁性層形成装置３１は、長尺の原反２７が巻回されてなる送出リール１９と、第１磁性層２に対して磁気記録を行う記録用磁気ヘッド２０と、第２磁性層の塗布装置２１と、乾燥パート２４と、巻取リール２６とが直列に連設されて概略構成されており、送出リール１９から送り出される原反２７が、記録用磁気ヘッド２０、第２磁性層の塗布装置２１及び乾燥パート２４を通過するようになっている。
尚、送出リール１９は、図２における巻取リール１８を第１磁性層形成装置３０から取り外して、第２磁性層形成装置３１に取り付けたものである。
【００２３】
まず、原反２７を、送出リール１９により送出して記録用磁気ヘッド２０に導き、第１磁性層に磁気記録を行う。
この磁気記録は、第１磁性層２の表面側あるいは裏面側から記録用磁気ヘッド２０により通常の磁気記録方式と同様に行えばよい。磁気記録の結果、第１磁性層２には図１（ｂ）に示す複数の磁化反転パターン７…が形成される。
【００２４】
その後、原反２７を第２磁性層の塗布装置２１に導き、原反２７の第１磁性層２上に第２磁性層３用の磁気塗料を塗布する。
塗布装置２１には、前記第２磁性粉と前記バインダーと溶剤とからなる磁気塗料２１ａが蓄えられており、この磁気塗料２１ａに接する塗工ヘッド２２により、原反２７に磁気塗料２１ａを塗布する。
【００２５】
磁気塗料２１ａの塗布直後において、磁気塗料２１ａの溶剤が未だ存在する状態においては、磁気塗料２１ａ中の第２磁性粉が、第１磁性層２になされた磁気記録による磁化反転パターン７…の界面部７ａ…（図１（ｂ））の近傍に集まる。このようにして、第２磁性粉が密集して盛り上がることにより、凸部６が第１磁性層２の磁気記録内容に対応して複数形成する。
このとき、隣り合う磁化反転パターン７、７から漏れ出る２本の磁束（図１（ｂ）中の一点鎖線矢印）の影響により、凸部６には、第２磁性層３の幅方向に沿って２つの帯状の頂部５、５が並設する。
このようにして、複数の凸部６…から構成される固定情報が、第２磁性層に記録される。
【００２６】
更に、磁気塗料２１ａが塗布された原反２７は、ロール２３を経て乾燥パート２４に送り出される。乾燥パート２４においては、磁気塗料２１ａ中の溶剤を揮発させて乾燥させる。このようにして第２磁性層３が形成される。
更に、原反２７は、ロール２５を経て巻取リール２６に巻き取られる。巻き取られた原反２７は、第１磁性層２及び第２磁性層が形成された磁気原反である。この磁気原反を、ＪＩＳサイズの磁気カードの大きさに打ち抜いて磁気記録媒体１０を得る。
【００２７】
尚、被覆層を設ける場合は、被覆層用塗料を別途被覆層用の塗布装置を用いて磁気原反に塗布することにより、容易に形成できる。
また、第１磁性層２に記録された磁気記録情報は、磁気原反が完成した後ロール状態のまま、あるいは磁気記録媒体１０に加工された後に、交流消磁または直流消磁を行うことにより消去する。
【００２８】
次に、この磁気記録媒体１０の第２磁性層３に記録された固定情報の再生方法を説明する。
まず、本発明における２つの頂部５、５を有する凸部６と、固定情報を再生して得られる再生信号の信号波形の形状との関係について概略説明する。
【００２９】
ギャップ幅が２０μｍの再生用磁気ヘッドを用いて、図１（ｂ）に示す磁気ストライプＴにバイアス磁界を印加しながら、第２磁性層３に記録された固定情報に対して、前記の再生用磁気ヘッドにより再生を行い、得られる再生信号をシンクロスコープに表示させると、図１（ｃ）に示す通りとなる。
図１（ｃ）に示す再生信号４０は、複数のパルス状の信号波形４１…の連続として構成される。それぞれの信号波形４１…は、頂部５、５を有する凸部６…に対応するものである。ここに示す信号波形４１…は、尖頭部４３に２つのピーク４４、４４を有するダブルピーク波形４２…である。
【００３０】
また、ギャップ幅が４０μｍの再生用磁気ヘッドを用いて、上述と同様にして図２（ｂ）に示す第２磁性層３に記録された固定情報に対して再生を行い、得られる再生信号をシンクロスコープに表示させると、図１（ｄ）に示す通りとなる。
図１（ｄ）に示す再生信号５０は、複数のパルス状の信号波形５１…の連続として構成され、それぞれの信号波形５１…は、頂部５、５を有する凸部６…に対応するものである。ここに示す信号波形５１…は、尖頭部５３に１つのピーク５４を有するシングルピーク波形５２…である。
【００３１】
このようにして、第２磁性層３に形成された２つの頂部５、５を有する凸部６…により構成された固定情報の再生信号４０、５０の信号波形４１…、５１…は、再生用磁気ヘッドのギャップ幅を変更することにより、ダブルピーク波形４２あるいはシングルピーク波形５２となることがわかる。
【００３２】
このように、再生用磁気ヘッドのギャップ幅により、信号波形がダブルピーク波形またはシングルピーク波形になる原因については定かではないが、磁気ヘッドのギャップ幅と、頂部５、５及び凸部６の大きさとの関係が少なくとも影響している。
即ち、図７（ａ）に示すように、磁気ヘッドＳのギャップ幅Ｇ1が、凸部６の頂部５の幅Ｐよりも大きく、凸部６の幅Ｑよりも小さいと、頂部５を検出するためのギャップ損失が大きくなって、再生信号の信号波形がシングルピーク波形となり、一方、図７（ｂ）に示すように、磁気ヘッドＳのギャップ幅Ｇ2が、頂部５の幅Ｐよりも小さいと、頂部５を検出するためのギャップ損失が小さくなり、再生信号の信号波形がダブルピーク波形となる。
【００３３】
次に、第１磁性層２に記録する記録信号を変更した場合における再生信号の信号波形の形状について説明する。
まず、図４（ａ）に示す記録ピッチがＴ1であるパルス波形の記録信号を、図３に示す記録用磁気ヘッド２０により第１磁性層２に磁気記録し、第２磁性層３の形成、磁化原反２７の打ち抜きを経て、該記録信号に基づいた固定情報が記録された磁気記録媒体を用意する。この磁気記録媒体に記録された固定情報の再生信号は、図４（ｂ）及び図４（ｃ）に示す通りとなる。図４（ｂ）はギャップ幅が２０μｍの再生用磁気ヘッドにより得られる再生信号であり、図４（ｃ）はギャップ幅が４０μｍの再生用磁気ヘッドにより得られる再生信号であり、これらの再生信号の信号波形は、前述の図１（ｃ）及び図１（ｄ）と同様に、ダブルピーク波形４２（図４（ｂ））及びシングルピーク波形５２（図４（ｄ）となる。
【００３４】
次に、図５（ａ）に示す異なる記録ピッチＴ2、Ｔ3（但し、（Ｔ1＞）Ｔ3＞Ｔ2である）が交互に繰り返してなるパルス波形の記録信号を、前述と同様にして第１磁性層２に記録することにより、該記録信号に基づいた固定情報が記録された磁気記録媒体を用意する。この磁気記録媒体に記録された固定情報の再生信号は、図５（ｂ）の通りとなる。この図に示す再生信号は、ギャップ幅が２０μｍの再生用磁気ヘッドにより得られたものである。記録ピッチが短くなると、ギャップ幅が２０μｍの再生用磁気ヘッドを用いても、再生信号の信号波形がシングルピーク波形となる。
これは、記録信号の記録ピッチが短くなると、第２磁性層３に形成される凸部６及び頂部５、５の形状、大きさに変化はないものの、凸部６、６同士の間隔が狭くなって、再生信号の信号波形の間隔が狭くなるため、隣り合う信号波形同士が干渉して、本来ならダブルピーク波形になるべき信号波形が、シングルピーク波形になる。
即ち、２つのダブルピーク波形が互いに干渉するまで近接させると、ダブルピーク波形の尖頭部の２つのピークが１つのピークになり、シングルピーク波形となるのである。
【００３５】
以上説明したように、再生信号の信号波形は、隣同士の信号波形との干渉の有無により、シングルピーク波形またはダブルピーク波形となる。
この性質を利用して、再生信号にダブルピーク波形とシングルピーク波形とを混在させることが可能になる。これを次に説明する。
【００３６】
図６（ａ）に示す異なる記録ピッチＴ1、Ｔ2、Ｔ3（但し、Ｔ1＞Ｔ3＞Ｔ2である）が交互に繰り返してなるパルス波形の記録信号を、前述と同様にして第１磁性層２に記録することにより、該記録信号に基づいた固定情報が記録された磁気記録媒体を用意する。この磁気記録媒体に記録された固定情報の再生信号は、図６（ｂ）の通りとなる。この図に示す再生信号は、ギャップ幅が２０μｍの再生用磁気ヘッドにより得られたものである。この再生信号は、シングルピーク波形とダブルピーク波形とが混在した複数の信号波形の連続である。
ダブルピーク波形となっている信号波形の両隣には、記録ピッチＴ1あるいはＴ3を空けて別の信号波形が存在し、シングルピーク波形となっている信号波形の片隣には、記録ピッチＴ2を空けて別の信号波形が存在している。
【００３７】
従って、記録ピッチの長さを調整することにより、再生信号を、シングルピーク波形、ダブルピーク波形若しくはこれらが混在した複数の信号波形の連続とすることが自在になる。
【００３８】
上述の磁気記録媒体１０は、第２磁性層３に２つの頂部５、５からなる凸部６…が複数形成されており、この複数の凸部６…により固定情報が構成されているので、磁気記録媒体１０を形成した後では固定情報の消去も書き込みも行うことが不可能となり、また、この複数の凸部６…は、マグネチックビューアー等で観察しても磁化の状態が黙視で確認することができず、更に、第２磁性層上に皮膜層を形成すれば肉眼による凸部６…の観察も不可能となるので、磁気記録媒体１０の偽造及び変造を防ぐことができる。
【００３９】
また、上述の磁気記録媒体１０は、第２磁性層３に２つの頂部５、５からなる凸部６…が複数形成されて固定情報が構成されており、この固定情報の再生信号は、ダブルピーク波形またはシングルピーク波形またはダブルピーク波形とシングルピーク波形とが混在した信号波形の連続として構成されているので、従来のシングルピーク波形のみからなる信号波形の集合を再生信号として用いた場合よりも、更に複雑な信号を固定情報の再生信号として用いることが可能となり、固定情報を複雑化してセキュリティ機能が高い磁気記録媒体１０とすることができる。
【００４０】
また、上述の磁気記録媒体の固定情報の再生方法によれば、固定情報の再生信号を、ダブルピーク波形またはシングルピーク波形またはダブルピーク波形とシングルピーク波形とが混在した信号波形の連続として構成することが可能となり、シングルピーク波形のみを正規の信号波形とし、ダブルピーク波形をダミーの信号波形とすること等により、固定情報を複雑化して磁気記録媒体１０のセキュリティ機能を大幅に向上させることができる。
【００４１】
【実施例】
以下、本発明の実施例について述べる。
（実験例１）
まず、第１磁性層用の磁気塗料を以下の配合で調製した。
バリウムフェライト（Ｂａ０・６Ｆｅ2Ｏ3）
（保磁力２７５０エルステッド  比表面積  ８ｍ2／ｇ）   １００重量部
カーボンブラック                                          ３重量部
レシチン                                                  １重量部
塩化ビニル・酢酸ビニル・ビニルアルコール共重合体樹脂    ２０重量部
ポリウレタン樹脂                                        ２０重量部
トルエン                                                ６０重量部
メチルエチルケトン                                      ６０重量部
メチルイソブチルケトン                                  ６０重量部
前記配合組成の混合物をボールミルで８時問分散した後に、ポリイソシアネート系硬化剤を５重量部添加し、更に１時間分散を行い、第１磁性層用の磁気塗料を得た。塗布作業は、通常の磁気記録媒体の製造方法に従って行えばよい。即ち図２に示したように、１８８μｍ厚さの白色ポリエステルフィルムからなるベース１に塗工へッド１３で第１磁性層用の磁気塗料１２ａを塗布し、乾燥パート１６中で乾燥させ、厚さ１２μｍの第１磁性層を形成し、原反２７として巻き取る。尚、第１磁性層用の磁気塗料１２ａを塗布した直後に、磁場配向装置１５を用いて配向処理を行う。
【００４２】
ついで、第２の磁性層用の磁気塗料を以下の配合で調製した。
カルボニル鉄粉
（保磁力１０エルステッド  比表面積１ｍ2／ｇ）         １００重量部
カーボンブラック                                          ３重量部
レシチン                                                  １重量部
塩化ビニル・酢酸ビニル・ビニルアルコール共重合体樹脂    ２０重量部
ポリウレタン樹脂                                        ２０重量部
トルエン                                                ６０重量部
メチルエチルケトン                                      ６０重量部
メチルイソブチルケトン                                  ６０重量部
前記配合組成の混合物をボールミルで８時間分散した後に、ポリイソシアネート系硬化剤を５重量部添加し、更に１時間分散を行い、第２の磁性層用の磁気塗料を得た。
【００４３】
次に、図３に示すように、記録用磁気ヘッド２０で第１磁性層に対して所定の記録信号に基づいて磁気記録を行った。
記録用磁気ヘッド２０は、ギャップ幅が５０μｍのものを用いた。磁気記録は、第１磁性層を十分に飽和できるパルス電流を印加することにより行い、１００ｂｐｉのＦＭ方式で行った。
第１磁性層に記録信号を磁気記録する詳細な条件は、表１の１に示す通りであり、実際の記録信号の波形は、図４（ａ）に示す記録信号と同様であった。
【００４４】
次に、図３に示すように、原反２７の第１磁性層上に、第２磁性層用の磁気塗科２１ａを塗工ヘッド２２により塗布し、乾燥パート２４中で乾燥させて厚さ６μｍの第２磁性層を形成し、磁気原反として巻き取った。
このようにして得た磁気原反を打ち抜いて、図１（ａ）及び図１（ｂ）に示すＪＩＳサイズのカード型の磁気記録媒体を得た。
第１磁性層に行った磁気記録情報は、磁気原反が完成した後のロール状態のままあるいは磁気記録媒体に加工した後に、交流消磁または直流消磁を行うことにより消去した。
次に、再生用磁気ヘッドを用いて、磁気記録媒体の磁気ストライプＴにバイアス磁界を印加しながら、第２磁性層３に記録された固定情報の再生を行い、再生信号を得た。再生条件は、表２の１の条件で行った。
【００４５】
本実験例で得られた再生信号は、図４（ｂ）に示す再生信号とほぼ同等であり、全ての信号波形がダブルピーク波形であった。
【００４６】
【表１】
0003542276.tif 000002
【００４７】
【表２】
0003542276.tif 000003
【００４８】
（実験例２）
実験例１で得た磁気記録媒体の磁気ストライプＴにバイアス磁界を印加しながら、第２磁性層３に記録された固定情報の再生を行い、再生信号を得た。再生条件は、表２の２の条件で行った。
本実験例で得られた再生信号は、図４（ｃ）に示す再生信号とほぼ同等であり、全ての信号波形がシングルピーク波形であった。
【００４９】
（実験例３）
第１磁性層に記録信号を磁気記録する詳細な条件を表１の２に示す通りとし、実際の記録信号の波形を図５（ａ）に示す記録信号と同様にしたこと以外は、実験例１と同様にして磁気記録媒体を製造した。
この磁気記録媒体の磁気ストライプＴにバイアス磁界を印加しながら、第２磁性層３に記録された固定情報の再生を行い、再生信号を得た。再生条件は、表２の１の条件で行った。
本実験例で得られた再生信号は、図４（ｃ）に示す再生信号とほぼ同等であり、全ての信号波形がシングルピーク波形であった。
【００５０】
（実験例４）
実験例３で得た磁気記録媒体の磁気ストライプＴにバイアス磁界を印加しながら、第２磁性層３に記録された固定情報の再生を行い、再生信号を得た。再生条件は、表２の２の条件で行った。
本実験例で得られた再生信号は、図４（ｃ）に示す再生信号とほぼ同等であり、全ての信号波形がシングルピーク波形であった。
【００５１】
（実験例５）
第１磁性層に記録信号を磁気記録する詳細な条件を表１の３に示す通りとし、実際の記録信号の波形を図６（ａ）に示す記録信号と同様にしたこと以外は、実験例１と同様にして磁気記録媒体を製造した。
この磁気記録媒体の磁気ストライプＴにバイアス磁界を印加しながら、第２磁性層３に記録された固定情報の再生を行い、再生信号を得た。再生条件は、表２の１の条件で行った。
本実験例で得られた再生信号は、図６（ｂ）に示す再生信号とほぼ同等であり、再生信号は、シングルピーク波形とダブルピーク波形が混在した複数の信号波形の連続であった。
【００５２】
【発明の効果】
上記の磁気記録媒体は、第２磁性層に２つの頂部からなる凸部が複数形成されており、この複数の凸部により固定情報が構成されているので、磁気記録媒体を形成した後では固定情報の消去も書き込みも行うことが不可能となり、また、この複数の凸部は、マグネチックビューアー等で観察しても磁化の状態が黙視で確認することができず、更に、第２磁性層上に皮膜層を形成すれば肉眼による凸部の観察も不可能となるので、磁気記録媒体の偽造及び変造を防ぐことができる。
【００５３】
また上記の磁気記録媒体は、第２磁性層に２つの頂部からなる凸部が複数形成されて固定情報が構成されており、この固定情報の再生信号は、ダブルピーク波形またはシングルピーク波形またはダブルピーク波形とシングルピーク波形とが混在した信号波形の連続として構成されているので、従来のシングルピーク波形のみからなる信号波形の集合を再生信号として用いた場合よりも、更に複雑な信号を固定情報の再生信号として用いることが可能となり、固定情報を複雑化してセキュリティ機能が高い磁気記録媒体を得ることができる。
【００５４】
そして、本発明の磁気記録媒体の固定情報の再生方法によれば、固定情報の再生信号を、ダブルピーク波形またはシングルピーク波形またはダブルピーク波形とシングルピーク波形とが混在した信号波形の連続として構成することが可能となり、シングルピーク波形のみを正規の信号波形とし、ダブルピーク波形をダミーの信号波形とすることにより、固定情報を複雑化して磁気記録媒体のセキュリティ機能を大幅に向上させることができる。
【図面の簡単な説明】
【図１】本発明の実施の形態である磁気記録媒体及び磁気記録媒体の固定情報の再生信号を示す図であって、（ａ）は磁気記録媒体の平面図であり、（ｂ）は（ａ）におけるＸ−Ｘ線における断面図であり、（ｃ）は磁気記録媒体の固定情報の再生信号を示す図であり、（ｄ）は磁気記録媒体の固定情報の再生信号を示す図である。
【図２】第１磁性層形成装置の構成を示す模式図である。
【図３】第２磁性層形成装置の構成を示す模式図である。
【図４】磁気記録媒体の固定情報の記録信号及び再生信号を示す図であって、（ａ）は第１磁性層に磁気記録させる記録信号を示す図であり、（ｂ）は固定情報の再生信号を示す図であり、（ｃ）は固定情報の再生信号を示す図である。
【図５】磁気記録媒体の固定情報の記録信号及び再生信号を示す図であって、（ａ）は第１磁性層に磁気記録させる記録信号を示す図であり、（ｂ）は固定情報の再生信号を示す図である。
【図６】磁気記録媒体の固定情報の記録信号及び再生信号を示す図であって、（ａ）は第１磁性層に磁気記録させる記録信号を示す図であり、（ｂ）は固定情報の再生信号を示す図である。
【図７】磁気記録媒体の第２磁性層に記録された固定情報を再生する状態を示す図であって、（ａ）はギャップ幅がＧ1の再生用磁気ヘッドを用いた場合を示す図であり、（ｂ）はギャップ幅がＧ2の再生用磁気ヘッドを用いた場合を示す図である。
【符号の説明】
１  ベース
２  第１磁性層
３  第２磁性層
４  第１磁性層の表面（一面）
５  凸部
６  頂部
７  磁化反転パターン
１０  磁気記録媒体
４０、５０  再生信号
４１、５１  信号波形
４２  ダブルピーク波形
４３、５３  尖頭部
４４、５４  ピーク
５２  シングルピーク波形
【図１】
0003542276.tif 000004
【図２】
0003542276.tif 000005
【図３】
0003542276.tif 000006
【図４】
0003542276.tif 000007
【図５】
0003542276.tif 000008
【図６】
0003542276.tif 000009
【図７】
0003542276.tif 000010